(57)【特許請求の範囲】
【請求項１】
帯状シート材からなる台紙と、上記台紙の一端側に取り付けられ上面に物品収納用の凹部を有する本体部と、同じく上記台紙の、所定幅だけ間をあけた他端側に取り付けられ上記本体部の上面を蓋しうる蓋部とを備え、上記台紙の、本体部と蓋部との間の所定幅領域が、本体部との境界および蓋部との境界において折り目を有し、上記本体部に対し蓋部を自在に開閉しうるヒンジ部になっている物品収納ケースであって、
上記本体部は、台紙上面に取り付けられる枠状の平面部と、この平面部から枠状に立ち上がる周壁部と、物品収納用の凹部を有する上面部とを備えた薄肉成形品からなり、
上記蓋部は、台紙上面に取り付けられる枠状の平面部と、この平面部から枠状に立ち上がる中空の枠壁とを備え、上記枠壁は、枠状の外周壁部と、この外周壁部の上端から、所定幅の枠面部を介して内側に折り返されて下向きに延びる内周壁部とを有し、上記枠壁の内周壁部が、上記本体部の周壁部と着脱自在に嵌合するよう構成された薄肉成形品からなり、
上記本体部の周壁部において、ヒンジ部側の周壁の一部がヒンジ部側に向かって膨出し、その膨出部のヒンジ部に対峙する部分が、上にいくほど周壁部内側に向かって傾斜した第１のテーパ部になっているとともに、ヒンジ部側と反対側に、蓋部係止用の係合部が設けられており、
上記蓋部の枠壁のうち、ヒンジ部側に延びる枠壁部分の左右両側が途切れており、その途切れて独立した枠壁部分の内周壁部が、上記本体部の周壁部との嵌合時に本体部側の第１のテーパ部に沿う第２のテーパ部になっているとともに、ヒンジ部側と反対側に、上記本体部の周壁部に設けられた蓋部係止用の係合部と係合しうる被係合部が設けられており、
上記ヒンジ部が奥側となる配置で蓋部と本体部とが閉じた状態において、蓋部を取り付けた側の台紙の端縁が、本体部を取り付けた側の台紙の端縁よりも手前側にくるように、上記ヒンジ部が上記本体部を取り付けた側の台紙に対して鋭角に傾斜して、上記蓋部を取り付けた側の台紙が手前側にずれることにより、上記本体部の周壁部に設けられた係合部と上記蓋部の内周壁部に設けられた被係合部との係合が外れ、上記本体部側の第１のテーパ部に沿って、蓋部側の第２のテーパ部が斜め上に滑って蓋部が開くよう構成されていることを特徴とする物品収納ケース。
【請求項２】
上記蓋部の平面部から延びる延設部が、台紙上面の、ヒンジ部である所定幅領域に取り付けられている請求項１記載の物品収納ケース。
【請求項３】
上記本体部の平面部から延びる延設部が、台紙上面の、ヒンジ部である所定幅領域に取り付けられている請求項１記載の物品収納ケース。
【請求項４】
上記蓋部と本体部とが、互いの平面部から延設される延設部によってつながった一続きの薄肉成形品からなり、上記延設部が、台紙上面の、ヒンジ部である所定幅領域に取り付けられている請求項１記載の物品収納ケース。
【請求項５】
上記第１のテーパ部および第２のテーパ部の傾斜角θが、垂直方向に対し２〜４５°に設定されている請求項１〜４のいずれか一項に記載の物品収納ケース。
【発明の詳細な説明】
【技術分野】
【０００１】
本発明は、片手で簡単に開くことのできる、取り扱いに便利な物品収納ケースに関するものである。
【背景技術】
【０００２】
従来、化粧品や文房具、カード等を収納することのできる簡易なケースとして、例えば図１２（ａ）および図１２（ａ）のＸ−Ｘ′断面図である図１２（ｂ）に示すような、ブックタイプのケースが知られている（特許文献１、２等を参照）。このケースは、本の表紙と背表紙と裏表紙とを連結したような、折り目のついたシート状の台紙１に、物品収納用の凹部２を有する本体部３と、この本体部３の上面を蓋する蓋部４とを取り付けたものである。
【０００３】
上記本体部３と蓋部４とは、それぞれ予め型成形されたプラスチック成形品からなり、蓋部４の周壁部４ａを、本体部３の凹部２内に嵌入させることによって、蓋部４が閉じるようになっている。なお、蓋部４が本体部３から容易に開かないように、蓋部４の周壁部４ａと本体部３の凹部２との嵌合部に、係止用の凹凸を設けたものも提案されている（図示せず）。
【先行技術文献】
【特許文献】
【０００４】
【特許文献１】実開昭５３−１２９６２３号公報
【特許文献２】実開昭６３−１０２６３６号公報
【発明の概要】
【発明が解決しようとする課題】
【０００５】
このような物品収納ケースは、軽量で携帯にも便利であるが、蓋部４を開くとき、台紙１の本体部３が取り付けられている側と、蓋部４が取り付けられている側とを、それぞれ左右の手で持って開かなければならない。この動作は、例えば、容器の手前に設けられたフックを押すだけで蓋が簡単に開く化粧品のコンパクトケースに比べると、若干の煩わしさがある。また、本を開く要領で、この物品収納ケースを垂直に立てて蓋部４と本体部３を左右に開くと、中身を下に落としてしまうことがあり、問題となっている。
【０００６】
そこで、このようなブックタイプの物品収納ケースにおいても、化粧品のコンパクトケースのように、ケースを片手で水平に持ち、手前を押す等の簡単な動作で開くようにすることが検討されている。
【０００７】
しかしながら、例えば化粧品のコンパクトケースに倣って、本体部３の周壁部を加工して開閉用のフックピースを組み込む等の構成にすると、全体の構造が複雑になってコストが高くなり、また重量も増えるため、せっかくシンプルで携帯しやすい、というブックタイプケースの良さが失われてしまう。
【０００８】
本発明は、このような事情に鑑みてなされたもので、構成がシンプルで軽量かつ安価なブックタイプケースの良さを活かしながら、片手で蓋を簡単に開くことのできる、使い勝手のよい物品収納ケースの提供を、その目的とする。
【課題を解決するための手段】
【０００９】
上記の目的を達成するため、本発明は、帯状シート材からなる台紙と、上記台紙の一端側に取り付けられ上面に物品収納用の凹部を有する本体部と、同じく上記台紙の、所定幅だけ間をあけた他端側に取り付けられ上記本体部の上面を蓋しうる蓋部とを備え、上記台紙の、本体部と蓋部との間の所定幅領域が、本体部との境界および蓋部との境界において折り目を有し、上記本体部に対し蓋部を自在に開閉しうるヒンジ部になっている物品収納ケースであって、上記本体部は、台紙上面に取り付けられる枠状の平面部と、この平面部から枠状に立ち上がる周壁部と、物品収納用の凹部を有する上面部とを備えた薄肉成形品からなり、上記蓋部は、台紙上面に取り付けられる枠状の平面部と、この平面部から枠状に立ち上がる中空の枠壁とを備え、上記枠壁は、枠状の外周壁部と、この外周壁部の上端から、所定幅の枠面部を介して内側に折り返されて下向きに延びる内周壁部とを有し、上記枠壁の内周壁部が、上記本体部の周壁部と着脱自在に嵌合するよう構成された薄肉成形品からなり、上記本体部の周壁部において、ヒンジ部側の周壁の一部がヒンジ部側に向かって膨出し、その膨出部のヒンジ部に対峙する部分が、上にいくほど周壁部内側に向かって傾斜した第１のテーパ部になっているとともに、ヒンジ部側と反対側に、蓋部係止用の係合部が設けられており、上記蓋部の枠壁のうち、ヒンジ部側に延びる枠壁部分の左右両側が途切れており、その途切れて独立した枠壁部分の内周壁部が、上記本体部の周壁部との嵌合時に本体部側の第１のテーパ部に沿う第２のテーパ部になっているとともに、ヒンジ部側と反対側に、上記本体部の周壁部に設けられた蓋部係止用の係合部と係合しうる被係合部が設けられており、上記ヒンジ部が奥側となる配置で蓋部と本体部とが閉じた状態において、蓋部を取り付けた側の台紙の端縁が、本体部を取り付けた側の台紙の端縁よりも手前側にくるように、上記ヒンジ部が上記本体部を取り付けた側の台紙に対して鋭角に傾斜して、上記蓋部を取り付けた側の台紙が手前側にずれることにより、上記本体部の周壁部に設けられた係合部と上記蓋部の内周壁部に設けられた被係合部との係合が外れ、上記本体部側の第１のテーパ部に沿って、蓋部側の第２のテーパ部が斜め上に滑って蓋部が開くよう構成されている物品収納ケースを第１の要旨とする。
【００１０】
また、本発明は、そのなかでも、特に、上記蓋部の平面部から延びる延設部が、台紙上面の、ヒンジ部である所定幅領域に取り付けられている物品収納ケースを第２の要旨とし、上記本体部の平面部から延びる延設部が、台紙上面の、ヒンジ部である所定幅領域に取り付けられている物品収納ケースを第３の要旨とし、上記蓋部と本体部とが、互いの平面部から延設される延設部によってつながった一続きの薄肉成形品からなり、上記延設部が、台紙上面の、ヒンジ部である所定幅領域に取り付けられている物品収納ケースを第４の要旨とする。
【００１１】
さらに、本発明は、それらのなかでも、特に、上記第１のテーパ部および第２のテーパ部の傾斜角θが、垂直方向に対し２〜４５°に設定されている物品収納ケースを第５の要旨とする。
【発明の効果】
【００１２】
すなわち、本発明の物品収納ケースは、物品を保持する本体部と蓋部とが、それぞれ薄肉成形品からなり、これらが、帯状シート材からなる台紙の、ヒンジ部となる部分の両端に取り付けられた簡単な構成であるため、軽量で携帯に便利である。しかも、本体部と蓋部の係合部のうち、ヒンジ部側の所定部分が、互いに傾斜したテーパ部になっているため、上記ヒンジ部の、蓋部が取り付けられた部分との境界となる折り目を押し出し、上記ヒンジ部が上記本体部を取り付けた台紙に対して鋭角に傾斜するようにして本体部と蓋部とをずらすと、本体部と蓋部との係合が外れ、本体部側のテーパ部に沿って蓋部側のテーパ部が斜め上方向に滑って、簡単に蓋部が開くようになっている。したがって、この物品収納ケースを片手で開けることができ、使い勝手がよい。また、この動作は、物品収納ケースを略水平に持って行うことができるため、蓋部が開いたとき、本体部の物品収納部から物品を、不用意に落とすようなことがない。
【００１３】
そして、本発明のなかでも、特に、上記蓋部の平面部から延びる延設部が、台紙上面の、ヒンジ部である所定幅領域に取り付けられているもの、あるいは、上記本体部の平面部から延びる延設部が、台紙上面の、ヒンジ部である所定幅領域に取り付けられているものは、上記延設部が、ヒンジ部との境界部である折り目部分を補強することになるため、この部分を繰り返し屈曲しても、折り目が千切れたりヒンジ部全体の形が崩れたりすることがなく、好適である。
【００１４】
また、上記蓋部と本体部とが、互いの平面部から延設される延設部によってつながった一続きの薄肉成形品からなり、上記延設部が、台紙上面の、ヒンジ部である所定幅領域に取り付けられているものは、この延設部が、ヒンジ部両側の折り目部分を補強するため、折り目部分およびヒンジ部が、より一層、千切れたり型崩れしにくくなり、好適である。
【００１５】
さらに、本発明のなかでも、特に、上記第１のテーパ部および第２のテーパ部の傾斜角θが、垂直方向に対し２〜４５°に設定されているものは、ヒンジ部の蓋部側の折り目部分を押して蓋部を開く動作を、よりスムーズに行うことができ、好適である。
【図面の簡単な説明】
【００１６】
【図１】本発明の一実施の形態である物品収納ケースを示す外観斜視図である。
【図２】上記物品収納ケースの蓋部を開いた状態を示す斜視図である。
【図３】上記物品収納ケースを平たく開いた状態を示す平面図である。
【図４】（ａ）は図３の右側面図、（ｂ）は図３の正面図、（ｃ）は図１のＹ−Ｙ′断面図である。
【図５】（ａ）、（ｂ）は、ともに上記物品収納ケースの蓋部と本体部との嵌合状態の説明図である。
【図６】（ａ）、（ｂ）は、ともに上記物品収納ケースの蓋部と本体部との嵌合が外れた状態の説明図である。
【図７】（ａ）〜（ｃ）は、いずれも上記物品収納ケースの蓋部と本体部との嵌合が外れる状態を連続的に示す説明図である。
【図８】（ａ）は、上記本体部の変形例における蓋部と本体部との嵌合状態の説明図、（ｂ）は、（ａ）における蓋部と本体部との嵌合が外れた状態の説明図である。
【図９】上記本体部の他の変形例における蓋部と本体部との嵌合状態の説明図である。
【図１０】図３に示す物品収納ケースにおける蓋部と本体部の平面部の説明図である。
【図１１】（ａ）、（ｂ）は、ともに上記蓋部と本体部の平面部の変形例の説明図である。
【図１２】（ａ）は従来の物品収納ケースの一例を示す斜視図、（ｂ）は（ａ）のＸ−Ｘ′断面図である。
【発明を実施するための形態】
【００１７】
つぎに、本発明の実施の形態を、図面にもとづいて詳しく説明する。ただし、本発明は、以下の実施の形態に限定されるものではない。
【００１８】
図１は、本発明を、化粧料であるファンデーションと化粧用のパフを収容する携帯用のケースに適用した一実施の形態を示す外観斜視図であり、図２は、上記物品収納ケースの蓋部を開いた状態を示す斜視図である。また、図３は、この物品収納ケースを平たく開いた状態を示す平面図である。
【００１９】
すなわち、この物品収納ケースは、帯状の台紙１０と、上記台紙１０の一端側に取り付けられる本体部１１と、同じく上記台紙１０の中央部を所定幅だけ間をあけた他端側に取り付けられる蓋部１２とを備えている。そして、上記台紙１０の、本体部１１と蓋部１２の間の部分がヒンジ部１３になっており、上記ヒンジ部１３と本体部１１、蓋部１２との境界に設けられた折れ目Ｐ、Ｑによって、本体部１１に対して蓋部１２を平行に配置して蓋部１２で本体部１１の上面を蓋したり、これを開いたりすることができるようになっている。
【００２０】
上記物品収納ケースをより詳しく説明すると、上記台紙１０は、図３に示すように、平面視長方形状の帯状シート材（この例では、厚み０．７ｍｍの紙材）からなり、その一端側に、真空成形によって凹凸形状が付与された透明な薄肉成形品（この例では、厚み０．５ｍｍのポリエチレンテレフタレート樹脂シートの成形品）からなる本体部１１が取り付けられている。また、台紙１０の、上記ヒンジ部１３となる部分を隔てた他端側に、同じく真空成形によって凹凸形状が付与された薄肉成形品（本体部１１と同様、この例では、厚み０．５ｍｍのポリエチレンテレフタレート樹脂シートの成形品）からなる蓋部１２が取り付けられている。
【００２１】
上記本体部１１は、図３および図３の右側面図である図４（ａ）および図３の正面図である図４（ｂ）に示すように、台紙１０の上面に貼付される、平面視が四角枠状の平面部２０と、この平面部２０から四角枠状に立ち上がる第１の周壁部２１と、この第１の周壁部２１から、段差面２２を介して一回り小さな四角枠状に立ち上がる第２の周壁部２３とを備えている。
【００２２】
そして、上記第２の周壁部２３のうち、ヒンジ部１３側（物品収納ケースを使用する際における奥側）の所定部分に、上にいくほど第２の周壁部２３の内側に向かって傾斜する第１のテーパ部２４が、段差面２２の上に膨出した状態で形成されている。
【００２３】
また、上記第１の周壁部２１と第２の周壁部２３の間の段差面２２のうち、ヒンジ部１３側とは反対側（物品収納ケースを使用する際における正面側）の部分が、図２に示すように、その中央部が低く凹む円弧状の曲面２２ａになっている。そして、その曲面２２ａが設けられた、第２の周壁部２３の正面側中央に、蓋部１２を係止するための係合部となる小凹部２５が設けられている。
【００２４】
そして、上記第２の周壁部２３の内側には、平面部２０と平行に延びる上面部２６が設けられており、この上面部２６に、物品収納用の凹部２７、２８が、左右に並んで設けられている。向かって左側の凹部２７にはファンデーションが充填されるようになっており、向かって右側の凹部２８には、ファンデーションを付けて化粧するためのパフが収納されるようになっている。なお、上記凹部２８の底面２８ａは、平面部２０と同一面となる深さで、台紙１０に当接しており、上記凹部２７の底面２７ａは、凹部２８よりやや浅く、台紙１０との間に隙間を有している。そして、上記凹部２７、２８の境目となる帯状部分２６ａは、凹部２８内からパフが取り出しやすいように、下に向かって円弧状に凹んでいる。
【００２５】
一方、台紙１０の、上記本体部１１と反対側に設けられる蓋部１２は、図３および図３の右側面図である図４（ａ）および図３の正面図である図４（ｂ）に示すように、台紙１０の上面に貼付される、平面視が略四角枠状の平面部３０と、この平面部３０から四角枠状に立ち上がる外周壁部３１と、この外周壁部３１の上端から、所定幅の枠面部３２を介して、内側に折り返されて下向きに延びる内周壁部３３とを備えている。上記外周壁部３１と枠面部３２と内周壁部３３とで、中空状の枠壁３４が構成されている。
【００２６】
なお、上記平面部３０には、ヒンジ部１３側に延びる延設部３０ａが設けられており、この延設部３０ａが、ヒンジ部１３を構成する台紙１０の上に重なって貼付されている。そして、台紙１０の折り目Ｑに沿う部分に、折り目Ｑを挟むようにして、２本のミシン目５０が形成されており、この部分が、台紙１０の折り目Ｑとともに容易に折り返すことができるようになっている。
【００２７】
また、上記蓋部１２の枠壁３４の内側には、台紙１０との間に隙間を有する枠状の底枠部３５が設けられており、この底枠部３５の内側に、台紙１０に当接する底面部３６が設けられている。
【００２８】
上記枠壁３４は、ヒンジ部１３側で、その左右両側が途切れており、その途切れて独立した枠壁部分３４ａの内周壁部３３に、上記本体部１１との嵌合時に本体部１１側の第１のテーパ部２４の傾斜に沿う傾斜面を有する第２のテーパ部３７が形成されている。
【００２９】
また、上記枠壁３４の、ヒンジ部１３とは反対側（物品収納ケースを使用する際における正面側）の枠面部３２は、本体部１１との嵌合時において、本体部１１側の湾曲した曲面２２ａと隙間なく嵌合するよう、円弧状に湾曲した曲面３２ａになっている（図２参照）。そして、この曲面３２ａから内側に延びる内周壁部３３に、上記本体部１１の第２の周壁部２３に設けられた小凹部２５と係合しうる被係合部として、小凸部３８が設けられている。
【００３０】
上記の構成によれば、台紙１０のヒンジ部１３におけるＰ、Ｑを谷折りして蓋部１２側の台紙１０と本体部１１側の台紙１０とを平行にすることにより、蓋部１２の枠壁３４を、本体部１１の第２の周壁部２３に外嵌させて、本体部１１の上面を蓋することができる。この状態を、図１のＹ−Ｙ′断面図である図４（ｃ）に示す。また、図４（ｃ）において一点鎖線で囲われた楕円部Ｒの拡大図を図５（ａ）に示し、同じく楕円部Ｓの拡大図を図５（ｂ）に示す。なお、図５（ａ）において、本体部１１の第２の周壁部２３と蓋部１２の枠壁部分３４ａとは、互いに圧接してやや弾性変形していることから、図では両者が一部重なった状態で表示している（以下の図も同じ）。
【００３１】
これらの図からわかるように、蓋部１２を閉じた状態では、本体部１１の第２の周壁部２３と蓋部１２の枠壁部分３４ａとが、それぞれの第１のテーパ部２４と第２のテーパ部３７とを、互いに圧接させた状態で嵌合している。このため、図５（ｂ）において矢印で示すように、物品収納ケースの正面側に設けられた、蓋部係止用の小凹部２５と小凸部３８との係合部に、小凸部３８を内側に押し付ける力が働き、蓋部１２が不用意に開くことがない。したがって、本体部１１との嵌合が安定した状態で維持されるのである。
【００３２】
一方、蓋部１２を開く場合は、図４（ｃ）において太矢印で示すように、本体部１１を取り付けた側の台紙１０の端縁に手の親指をかけてその動きを抑え、ヒンジ部１３側に回した人指し指と薬指で、ヒンジ部１３の折り目Ｑを手前に押し出すようにする。そして、蓋部１２を取り付けた側の台紙１０の端縁が、本体部１１を取り付けた側の台紙１０の端縁よりも手前側にくるようヒンジ部１３を傾斜させると、上記本体部１１側の小凹部２５と蓋部１２側の小凸部３８との係合が外れて、蓋部１２が簡単に開くようになっている。
【００３３】
すなわち、ヒンジ部１３の折り目Ｑが手前に押し出されて、上記ヒンジ部１３が本体部１１を取り付けた側の台紙１０に対して鋭角に傾斜して蓋部１２を取り付けた側の台紙１０が手前にずれると、図６（ｂ）に示すように、蓋部１２の正面側に設けられた、蓋部係止用の小凸部３８が、本体部１１側の小凹部２５から手前側にずれる。これに伴い、図６（ａ）に示すように、本体部１１側の第１のテーパ部２４に沿って、蓋部１２側の第２のテーパ部３７が斜め上に滑り、その結果、蓋部１２の枠壁部分３４ａが本体部１１の上面部２６に乗り上げる。これによって、蓋部１２が、本体部１１から簡単に開くのである。この一連の動作を、図７（ａ）〜（ｃ）に連続的に示す。なお、図７では、動作がわかりやすいように、主要な符号以外の符号を略している。
【００３４】
このように、上記物品収納ケースは、本体部１１と蓋部１２とが、それぞれ薄肉成形品からなり、これらが、紙材からなる台紙１０の、ヒンジ部１３となる部分の両側に取り付けられた簡単な構成であるため、軽量で携帯に便利である。しかも、本体部１１と蓋部１２の嵌合部のうち、ヒンジ部１３側の所定部分が、互いに傾斜した第１、第２のテーパ部２４、３７になっているため、ヒンジ部１３の上側（折り目Ｑの部分）を手前に押し出すようにして本体部１１と蓋部１２とをずらすだけで、簡単に、本体部１１と蓋部１２との係合が外れるようになっている。したがって、この物品収納ケースを片手で開けることができ、使い勝手がよい。また、この動作は、物品収納ケースを略水平に持って行うことができるため、蓋部１２が開いたとき、本体部１１の物品収納部から物品（この例では、化粧用のパフ等）を、不用意に落とすようなことがない。
【００３５】
しかも、上記物品収納ケースは、上記蓋部１２の平面部３０から延びる延設部３０ａが、台紙１０のヒンジ部１３に取り付けられているため、上記延設部３０ａが、折り目Ｑと、その周囲の部分を補強している。したがって、蓋部１２の開閉のために、この部分を繰り返し屈曲しても、折り目Ｑが千切れたりヒンジ部１３の形が崩れたりすることがなく、長期にわたって良好に使用することができる。
【００３６】
なお、上記の例において、本体部１１側に設けられる第１のテーパ部２４と、蓋部１２側に設けられる第２のテーパ部３７の、それぞれの傾斜角θ［垂直方向に対する傾斜角度、図５（ａ）を参照］は、ともに２〜４５°であることが望ましく、なかでも、１０〜３０°であることが特に好ましい。すなわち、傾斜角θが小さすぎると、蓋部１２をスムーズに開くことが難しくなるおそれがあり、逆に、傾斜角θが大きすぎると、両者の圧接力が水平方向にかかりにくくなって、蓋部１２が不用意に開く可能性が生じ、好ましくない。そして、両者の傾斜角θが互いに異なっていると、ヒンジ部１３を傾斜させたときに互いの傾斜面同士がスムーズに滑りにくいため、両者の傾斜角θは同一であることが好ましい。ちなみに、上記の例では、両者とも、傾斜角θは１５°である。
【００３７】
また、上記の例では、蓋部１２を開く際、蓋部１２側の第２のテーパ部３７が、本体部１１の平坦な上面部２６に乗り上げるようになっているが、図８（ａ）に示すように、本体部１１の、第１のテーパ部２４から上面部２６につながる部分に、第２のテーパ部３７が設けられた枠壁部分３４ａ（図３参照）の下端部が入り込む凹条４０を設けてもよい。この凹条４０は、ヒンジ部１３側が浅くなっている。
【００３８】
そして、蓋部１２を開くために、前述と同様、ヒンジ部１３の上側（折り目Ｑの部分、図７参照）を手前側に押し出す動作を行うと、図８（ｂ）に示すように、浮き上がった蓋部１２の枠壁部分３４ａが、上記凹条４０内に一端入り込むようになっている。そして、さらにヒンジ部１３の上側を手前側に押し出すと、蓋部１２の枠壁部分３４ａは上記凹条４０から出て平坦な上面部２６に乗り上げる。これにより、蓋部１２を大きく開くことができる。
【００３９】
このように、本体部１１の上面部２６側に凹条４０を設けて、蓋部１２の枠壁部分３４ａを一旦この凹条４０内に入り込ませるようにすると、ヒンジ部１３を押す力が一気に蓋部１２側にかかりすぎて、ケース全体が型崩れしないよう配慮したものである。ただし、上記第１、第２のテーパ部２４、３７の傾斜角θの角度、台紙１０、本体部１１、蓋部１２の材質や厚み等によって、全体が型崩れしないよう調整することができることから、上記凹条４０を設けることは、必ずしも必要ではない。
【００４０】
また、上記凹条４０を設ける場合と同様の考え方から、例えば図９に示すように、本体部１１の、第１のテーパ部２４から上面部２６につながる部分に、第２のテーパ部３７が設けられた枠壁部分３４ａ（図３参照）の下端部を一旦乗せることのできる段差部４１を設けてもよい。上記段差部４１による段差の高さＨは、０．１〜１ｍｍの範囲内に設定することが好適である。すなわち、段差の高さＨが小さすぎると、この段差部４１を設ける効果が得られなくなるおそれがあり、逆に、段差の高さＨが大きすぎると、この段差部４１から上面部２６に乗り上げることが難しくなるおそれがあり、好ましくない。もちろん、図８に示す例と同様、この段差部４１も、必ずしも必要ではない。
【００４１】
さらに、上記の例では、台紙１０に取り付ける蓋部１２の平面部３０からヒンジ部１３側に延びる延設部３０ａを設けて、平面部３０とともに台紙１０の上面に貼付しているが、上記延設部３０ａは必ずしも必要ではない。例えば、図１０に示すように、ヒンジ部１３は、台紙１０のみで構成されていても差し支えない。なお、本体部１１と蓋部１２の、台紙１０に貼付される部分を斜線で示す（以下の図も同じ）。
【００４２】
また、図１１（ａ）に示すように、台紙１０に取り付ける本体部１１の平面部２０からヒンジ部１３側に延びる延設部２０ａを設けて平面部２０とともに貼付するようにしてもよい。この場合、折り目Ｐと重なる、上記延設部２０ａと平面部２０との境界部にミシン目５０′を設けることが望ましい。
【００４３】
あるいは、図１１（ｂ）に示すように、本体部１１と蓋部１２とが、互いの平面部２０、３０から延設される延設部４５によってつながった一続きの薄肉成形品からなり、上記延設部４５と、互いの平面部２０、３０とが、台紙１０の上面に貼付されたものであってもよい。その場合、折り目Ｐ、Ｑと重なるそれぞれの境界部に、ミシン目５０、５０′を設けることが望ましい。なお、ミシン目５０、５０′は、前記の例のように２本のミシン目が折り目Ｐ、Ｑを挟むように形成しても、１本のミシン目が折り目Ｐ、Ｑに重なるよう形成してもよい。
【００４４】
なお、本発明において、台紙１０となる帯状シート材として、上記の例では紙材を用いたが、紙材に限らず、プラスチックシート、複合シート等、各種のものを用いることができる。そして、その厚みも、適宜に設定されるが、例えば０．１〜２ｍｍ程度に設定することが好適である。すなわち、台紙１０の厚みが薄すぎると、ケースの強度が低下して保形性が悪くなるおそれがあり、逆に、厚みが厚すぎると、開閉動作がスムーズにいかず、ヒンジ部１３に無理な力がかかって型崩れしやすくなるおそれがある。
【００４５】
また、上記台紙１０の表面（蓋部１２を閉じた状態で表に出る面）に、文字や模様を印刷する場合は、その表面が平滑で、印刷特性に優れているものが好適である。もちろん、デザイン的な点から、和紙テイストのもの、毛羽立ったもの、凹凸模様が付与されたもの等を用いてもよい。
【００４６】
一方、薄肉成形品からなる本体部１１、蓋部１２の材料は、型成形によって凹凸が賦形できる樹脂製シートであればどのようなものであってもよい。例えば、上記の例で用いたポリエチレンテレフタレート（ＰＥＴ）の他、ポリプロピレン（ＰＰ）、ポリエチレン（ＰＥ）、ポリスチレン（ＰＳ）等の熱可塑性樹脂があげられる。なかでも、再生ＰＥＴを用いることが、コストおよび省資源の点で好適である。また、樹脂製シート材の片面に、異なる材質のシートやフィルムを積層して強度を高くしたり、色や柄のついたシートやフィルムを積層して、より印象的なデザインのケースとしたりすることができる。
【００４７】
そして、上記本体部１１、蓋部１２に用いられる樹脂製シートの厚みも、上記の例に限らず、用いる材料や得られる物品収納ケースの大きさ等によって適宜に設定されるが、通常、０．１〜２ｍｍの範囲に設定することが好適である。すなわち、厚みが薄すぎると型成形が容易でなく、保形性の点でも好ましくない。逆に、厚みが厚すぎると、物品収納ケース全体が重たいものとなり、携帯に不便となり、また省資源の点からも好ましくない。
【００４８】
また、上記樹脂製シートから本体部１１、蓋部１２を得るための成形方法としては、真空成形の他、圧空成形やプレス成形等、樹脂製シートを型成形によって凹凸形状を賦形する各種の成形方法を用いることができる。
【００４９】
さらに、上記台紙１０と本体部１１、蓋部１２との貼付は、通常、接着剤を用いてなされるが、用いる材料によっては、超音波接着やヒートシールによるものであってもよい。
【００５０】
そして、本発明において、本体部１１と蓋部１２とを嵌合して係止するための構成は、ヒンジ部１３側に第１、第２のテーパ２４、３７を設けてヒンジ部１３の折り目Ｑを手前に押し出すことができる構成になっていれば、他の構成は、特に限定するものではない。
【００５１】
また、上記の例では、本体部１１の左右に並ぶ凹部２７、２８（図２、図３参照）のうち、凹部２７にファンデーションを充填し、凹部２８にパフを収納するようにしたが、凹部２７、２８の内容物は、これに限るものではない。例えば、凹部２７に、ファンデーション等の化粧料を充填した中皿を収容するようにしてもよい。その場合、例えば、凹部２７の内側壁の前後に一個所ずつ係合用凸部を設けるとともに、中皿の外側壁に係合用凹部を設け、これらを係合することにより中皿を固定することが好ましい。係合固定された中皿は、凹部２７、２８の間の帯状部分２６ａに指を入れることにより、簡単に取り外すことができる。
【００５２】
さらに、上記凹部２７、２８の平面視形状やその数、配置も、上記の例に限るものではない。
【００５３】
そして、本発明において、物品収納ケースは、その閉じた状態における平面視形状が、上記の例のように長方形（図１等を参照）である必要はなく、正方形、菱形、台形等、各種の四角形であってもよい。また、ヒンジ部１３を介して開閉することができれば、略丸形、多角形、ハート形等、その形状は自由に選択することができる。したがって、本発明において、台紙１０を構成する「帯状シート材」の「帯状」とは、厳密な帯状である必要はなく、本体部１１を取り付ける部分と、ヒンジ部１３と、蓋部１２を取り付ける部分とが、横一列に並んだ形状であれば、これらは全て「帯状」に含む趣旨である。
【００５４】
なお、上記の例は、本発明を、化粧料を携帯するためのケースに適用した例であるが、本発明の物品収納ケースの用途は、これに限定するものではなく、文房具やおもちゃ、食品、縫製具等、各種の物品を収納するケースに適用することができる。
【産業上の利用可能性】
【００５５】
本発明は、物品を収納して携帯することができるだけでなく、これを片手で簡単に開くことができる物品収納ケースに好適に用いられる。
【符号の説明】
【００５６】
１０  台紙
１１  本体部
１２  蓋部
１３  ヒンジ部
２０、３０  平面部
２１  第１の周壁部
２３  第２の周壁部
２４  第１のテーパ部
２５  小凹部
２６  上面部
２７、２８  凹部
３１  外周壁部
３３  内周壁部
３７  第２のテーパ部
３８  小凸部
Ｐ、Ｑ  折り目
【図１】
0006754567.tif 000002
【図２】
0006754567.tif 000003
【図３】
0006754567.tif 000004
【図４】
0006754567.tif 000005
【図５】
0006754567.tif 000006
【図６】
0006754567.tif 000007
【図７】
0006754567.tif 000008
【図８】
0006754567.tif 000009
【図９】
0006754567.tif 000010
【図１０】
0006754567.tif 000011
【図１１】
0006754567.tif 000012
【図１２】
0006754567.tif 000013